(57)【特許請求の範囲】
【請求項１】
冷蔵運転を制御する冷蔵庫制御部を有した冷蔵庫本体と、上記冷蔵庫本体の適所に設けた近距離通信を行うためのＲＦＩＤタグとを備え、上記冷蔵庫本体を特定する機器情報はＲＦＩＤタグに書き込み、前記冷蔵庫本体の電源オン時に当該ＲＦＩＤタグから前記冷蔵庫制御部に機器情報を書き込み可能な構成としたＲＦＩＤタグ搭載冷蔵庫において、貯蔵室を開閉する扉の少なくとも一つは観音開き式の扉とし、前記観音開き式扉の一方の扉は交流配線のない直流配線のみとしてＲＦＩＤタグを設けたＲＦＩＤタグ搭載冷蔵庫。
【請求項２】
ＲＦＩＤタグは最上部の扉に備えた請求項１記載のＲＦＩＤタグ搭載冷蔵庫。
【請求項３】
ＲＦＩＤタグは冷蔵室を開閉する扉に設けたことを特徴とする請求項２記載のＲＦＩＤタグ搭載冷蔵庫。
【請求項４】
ＲＦＩＤタグは扉の端部に設けたことを特徴とする請求項２または３記載のＲＦＩＤタグ搭載冷蔵庫。
【請求項５】
観音式扉はその一方を他方より大きな面積を有する非対称形状とするとともに、この大きな面積を有する扉にＲＦＩＤタグを設けたことを特徴とする請求項１〜４のいずれか１項記載のＲＦＩＤタグ搭載冷蔵庫。
【請求項６】
貯蔵室を開閉する扉の少なくとも一つに自動扉開閉機構を備えるとともに、この自動扉開閉機構を備えた扉にＲＦＩＤタグを設けた請求項１〜５のいずれか１項記載のＲＦＩＤタグ搭載冷蔵庫。
【請求項７】
扉は扉を開くための手かけ部を有し、この手かけ部と離してＲＦＩＤタグを配置するとともに、当該ＲＦＩＤタグは手かけ部よりも上方の位置に配置したことを特徴とする請求項１〜６のいずれか１項記載のＲＦＩＤタグ搭載冷蔵庫。
【請求項８】
冷蔵庫にＲＦＩＤタグを組み込み冷蔵庫を完成させるステップと、冷蔵庫完成後に電源オンすることなく当該冷蔵庫のＲＦＩＤタグに冷蔵庫の機器情報を書き込むステップとから
なり、前記冷蔵庫を完成させるステップは、冷蔵庫にＲＦＩＤタグを組み込み各部品を組み立てて冷蔵庫を完成させるステップと、完成させた冷蔵庫を電源オンして検査する工程と、検査終了後の冷蔵庫に製造表示ラベルを貼り付けるステップとからなり、ＲＦＩＤタグへの冷蔵庫の機器情報書き込み時には連続した製造番号付与を可能としたことを特徴とするＲＦＩＤタグ搭載冷蔵庫の製造方法。
【発明の詳細な説明】
【技術分野】
【０００１】
本発明はインターネット等の通信網を利用したサービスシステムに好適なＲＦＩＤタグ搭載冷蔵庫とその製造方法に関するものである。
【背景技術】
【０００２】
一般にインターネット等の通信網を介し家電機器と情報をやり取りして、家電機器の利便性を向上させたシステムがみられる。例えば冷蔵庫をインターネットに接続し、故障内容をサービス業者に伝達して、的確な故障修理を可能にするようにしたものがみられる（例えば、特許文献１参照）。
【０００３】
このようなシステムに使用する機器としては冷蔵庫に限らず、他の家電品でも同様のものが多くみられる。そして、このような機器はいわゆるネット家電と称され、近年通信インフラの整備を受けて、ますますの広がりを見せ、家庭内にある複数の家電機器にこのような通信機能が装備されていくことが予測される。
【先行技術文献】
【特許文献】
【０００４】
【特許文献１】特開２００２−２９５９３９号公報
【発明の概要】
【発明が解決しようとする課題】
【０００５】
上記のように家電機器の情報化が進められていく中において、一般に白物家電と呼ばれる機器は日常生活のなかで、老若男女に関わらず使用されることから、その使いやすさがとても重要視される。すなわち、単独の冷蔵庫がインターネットに接続されているだけであれば、使用性の問題はなく、そのサービスを十分に享受できる。しかしながら、家電の情報化が広まり複数の家電機器がインターネットに接続されてサービス対象となると、機器情報の双方向のやり取りの中で、対象の機器がどの固体を示しているのか、子供やお年寄りにはわかりづらく、使いにくいという課題が生じる。また、家庭内に２台の冷蔵庫を保有している場合などで、冷蔵庫の庫内温度設定を間違えて操作してしまうなどの問題も予見される。
【０００６】
そこで本発明者らは機器に近距離通信を行うためのＲＦＩＤ（Ｒａｄｉｏ  Ｆｒｅｑｕｅｎｃｙ  ＩＤｅｎｔｉｆｉｃａｔｉｏｎ）タグを設け、近距離通信機能を備えた携帯電話等の携帯端末を近接させて直接情報のやり取りを行い、その情報を携帯端末からインターネット回線を介してホストコンピュータとつなぐことによって、各種のサービスを行うシステムを考え、実証してみた。
【０００７】
このシステムによると、複数の家電機器の対象選択があっても、通信実施時には、必ず対象となる家電機器本体にタッチする動作で機器近傍に携帯端末を持ち寄るので、子供やお年寄り等であっても対象を誤解することなく直感的に理解することができ、操作に迷うことがなく安心して使用でき、使いやすいものとなる。
【０００８】
このようなシステムにおいて使用される機器のＲＦＩＤタグには機器を特定する例えば機種名や部品名等の機器情報を書き込んでおく必要があり、通常、そのような書き込みは機器本体の電源をオンして冷蔵庫制御部からＲＦＩＤタグに情報を送り込み記載していた。
【０００９】
しかしながら、冷蔵庫にあっては電源オンすると運転動作を開始し、冷蔵庫特有ともいえる冷却動作が始まって特に梅雨時等にあっては結露が発生したり、またその結露に空気中の塵埃が付着して臭い発生の原因となったりするなどの支障が生じるため、これを除去する作業が必要となり、生産性が低下する、という新たな課題が発生してきた。
【００１０】
本発明はこのような点に鑑みてなしたもので、生産性を低下させることなく機器情報を書き込むことができる冷蔵庫とその生産方法を提供することを目的としたものである。
【課題を解決するための手段】
【００１１】
前記課題を解決するために本発明の冷蔵庫は、冷蔵運転を制御する冷蔵庫制御部を有した冷蔵庫本体と、上記冷蔵庫本体の適所に設けた近距離通信を行うためのＲＦＩＤタグとを備え、上記冷蔵庫本体を特定する機器情報はＲＦＩＤタグに書き込み、前記冷蔵庫本体の電源オン時に当該ＲＦＩＤタグから前記冷蔵庫制御部に機器情報を書き込み可能な構成としてあり、かつ、当該冷蔵庫の製造方法は、冷蔵庫にＲＦＩＤタグを組み込み冷蔵庫を完成させるステップと、冷蔵庫完成後に当該冷蔵庫のＲＦＩＤタグに冷蔵庫の機器情報を書き込むステップとからなるものである。
【００１２】
これにより、冷蔵庫制御部への情報書き込みは生産ラインで冷蔵庫の電源をオンしなくても行うことができ、すなわち、ＲＦＩＤタグはこれを装着した冷蔵庫の電源がなくても携帯端末を近づけることによって誘電して情報書き込みができる特性を有しているから、生産ラインで冷蔵庫電源をオンしなくてもよく、従い生産ラインで電源オンすることによって生じる結露等の障害を防止することができ、生産性の低下を招来することがなくなるとともに、使用者側で電源をオンしたときにＲＦＩＤタグから冷蔵庫本体の冷蔵庫制御部に機器情報が書き込まれ、記憶させておくことができる。よって、例えば部品にも機器情報を書き込んだＲＦＩＤタグを設けておけば、部品交換時に当該部品と冷蔵庫制御部とで情報交信を行って部品間違い等があればこれを知らせることができ、部品まちがいに気付かず交換してしまった時に生じる問題等を未然に防止することができる。
【発明の効果】
【００１３】
本発明は、機器情報書き込みのために冷蔵庫電源をオンにする必要がなく、電源オンに伴う生産性の低下を防止できるとともに、冷蔵庫制御部には確実に機器情報を書き込むことができ、各種サービスを的確に行うことができるようになる。
【図面の簡単な説明】
【００１４】
【図１】本発明の実施の形態１における冷蔵庫の使用状態を示す正面図
【図２】同冷蔵庫の概略断面図
【図３】同冷蔵庫の概略平面断面図
【図４】同冷蔵庫の操作ユニットを示す分解斜視図
【図５】同冷蔵庫の操作部を示す正面図
【図６】同冷蔵庫と携帯端末からなる家電機器サービスシステムの概略構成を示す制御ブロック図
【図７】同家電機器サービスシステムにおける動作を説明するフローチャート
【図８】同冷蔵庫の製造方法を示す工程図
【発明を実施するための形態】
【００１５】
第１の発明は、冷蔵運転を制御する冷蔵庫制御部を有した冷蔵庫本体と、上記冷蔵庫本体の適所に設けた近距離通信を行うためのＲＦＩＤタグとを備え、上記冷蔵庫本体を特定する機器情報はＲＦＩＤタグに書き込み、前記冷蔵庫本体の電源オン時に当該ＲＦＩＤタグから前記冷蔵庫制御部に機器情報を書き込み可能な構成としたＲＦＩＤタグ搭載冷蔵庫において、貯蔵室を開閉する扉の少なくとも一つは観音開き式の扉とし、前記観音開き式扉の一方の扉は交流配線のない直流配線のみとしてＲＦＩＤタグを設けた構成としてある。
【００１６】
これにより、冷蔵庫制御部への情報書き込みは生産ラインで冷蔵庫の電源をオンしなくても行うことができ、すなわち、ＲＦＩＤタグはこれを装着した冷蔵庫の電源がなくても携帯端末を近づけることによって誘電して情報書き込みができる特性を有しているから、生産ラインで冷蔵庫電源をオンしなくてもよく、従い生産ラインで電源オンすることによって生じる結露等の障害を防止することができ、生産性の低下を招来することがなくなるとともに、使用者側で電源がオンされることによってＲＦＩＤタグから冷蔵庫本体の冷蔵庫制御部に機器情報が書き込まれ、記憶させておくことができる。よって、例えば部品にも機器情報を書き込んだＲＦＩＤタグを設けておけば、部品交換時に当該部品と冷蔵庫制御部とで情報交信を行って部品間違い等があればこれを知らせることができ、部品まちがいに気付かず交換してしまった時に生じる問題等を未然に防止することができる。また、観音式扉の一方の扉は交流配線のない直流配線のみとしてＲＦＩＤタグを設けた構成としてあり、ＲＦＩＤタグを設けた扉はＲＦＩＤタグへの直流配線があるにしても交流配線はなく、この交流配線から発生するノイズのＲＦＩＤタグに対する影響を低減することができ、より正確かつ確実な通信性能が確保できる。
【００１７】
第２の本発明は、複数の貯蔵室を有する冷蔵庫本体と、前記貯蔵室を開閉する扉と、近接距離通信を行うＲＦＩＤタグとを備え、上記ＲＦＩＤタグは最上部の扉に備えた構成としてある。
【００１８】
これにより、食品出し入れ時に当該食品の水分や汚れがこぼれて生じやすい冷蔵庫特有の通信障害や携帯端末の汚れ等を防止して、信頼性の高い冷蔵庫が提供できる。すなわち、携帯端末をタッチする動作で通信させる場合においての冷蔵庫の課題は、ＲＦＩＤタグを備える配置場所にある。従来の無線装置であれば、冷蔵庫の背面や天面など手が届かない場所や見えない場所であっても問題なかったが、他の家電機器との間違いを防止するための近接距離で直感的なタッチする動作による通信を実現する場合、使いやすさの観点から手が届く範囲、つまり冷蔵庫の前面部にＲＦＩＤタグを配設することが必須である。
【００１９】
しかしながら、ＲＦＩＤタグを冷蔵庫前面に配置する場合、携帯端末を保持する手先を冷蔵庫本体に近接させるために、この手先に付着している水や汚れが冷蔵庫本体タグのアンテナ配設部表面に付着したり、食品出し入れ時に当該食品の水分や汚れがこぼれて冷蔵庫本体タグのアンテナ配設部表面に付着し、通信状態が悪化する場合がある。
【００２０】
また手先が汚れるなどしていなくても、通信を行うため精密機器である携帯端末自体や携帯端末を保持する手先を冷蔵庫本体に近接させたとき冷蔵庫本体の汚れや水が逆に手先に付着して、携帯端末のタッチパネルの操作などに支障をきたしたり、画面が見えにくくなるなどの問題が発生する。
【００２１】
しかるに本発明の冷蔵庫では、通信部を最上段の扉に設けることで、通信部の上方の保存室から食品の取り出しが行われることがあり得ないので、水分や汚れなどが取り出し時に落下付着することがない。
【００２２】
また、冷蔵庫は扉の開閉を行うと庫内の冷気が外部に流出し、開放した扉の下部にある扉に冷気がこぼれ落ち、温度が低下する。扉に設けたＲＦＩＤタグ表面の温度が冷気漏れにより露点温度以下になると結露が発生し、電波が水分により阻害されて不具合が生じる可能性があるが、本発明の構成によるとＲＦＩＤタグを最上段の扉に設けているので、ＲＦＩＤタグの上方の貯蔵しの扉開閉が行われることもあり得なくなり、ＲＦＩＤタグの温度が低下することがなく結露による通信障害の心配がない。
【００２３】
これは庫内温度が低い冷凍室が、上方に配置されるレイアウトでは、特に漏れ冷気の温度が低く下方の扉温度が低下しやすいため効果が大きい。
【００２４】
また、近距離通信での端末の通信操作は家電機器に近づける必要があるが、端末自体や保持した手先に冷蔵庫の汚れや水分が付着してしまうことがあり、携帯端末のタッチパネルの操作の不具合や画面が見にくい不具合や、端末の品質に悪影響を与える可能性がある
が、上記構成により、通信部への汚れや水分の付着を抑止することで、防止できる。
【００２５】
更に冷蔵庫側の情報、例えば扉開閉回数等をその携帯端末の表示部に表示させて知ることができ、冷蔵庫本体側に表示部を設けた場合のような表示用電力の使用は削減できる。
【００２６】
第３の発明は、第２発明のＲＦＩＤタグは複数の貯蔵室のうちの冷蔵室を開閉する扉に設けた構成としてあり、冷凍室などに設けた場合に比べＲＦＩＤタグの表面と内面の温度差を小さく抑えて結露発生を抑制することができ、通信状態の劣化や部品信頼性の低下等の障害をより少なくすることができる。
【００２７】
第４の発明は、第１〜第３の発明のＲＦＩＤタグは扉の端部に設けた構成としてあり、使用者によって日常的に行われる扉への掲示物の張りつけがあってもその影響を受ける恐れが少なくなり、より確実な通信確保が可能となる。
【００３１】
第５の発明は、第１〜第４の発明の観音式扉はその一方を他方より大きな面積を有する非対称形状とするとともに、この大きな面積を有する扉にＲＦＩＤタグを設けた構成としてあり、大きな面積の扉ほど開閉頻度が高くなることに加え漏れ出す冷気の量も多くなり、そのために前記第５の発明で述べたような漏れ出す冷気によるＲＦＩＤタグに対する悪影響を抑える効果が高くなり、通信状態の劣化や部品信頼性の低下等の障害をより少なくすることができる。
【００３２】
第６の発明は、第１〜第５の発明の貯蔵室を開閉する扉の少なくとも一つに自動扉開閉機構を備えるとともに、この自動扉開閉機構を備えた扉にＲＦＩＤタグを設けた構成としてあり、キッチンで作業している使用者の手が水で濡れていてもこの水によるＲＦＩＤタグの障害を少なくすることができる。すなわち、使用者は扉に軽くタッチするだけでよくなるため、扉開閉時に扉表面に付着する水滴は極めて微量か付着しない状態となり、ＲＦＩＤタグに携帯電話等の携帯端末を接近させるときにこの扉表面に付着した水滴がＲＦＩＤタグ自体やこのＲＦＩＤタグに接近させる携帯端末に付着してこれを汚したり濡らしたりする不具合を防止することができ、通信状態の劣化や部品信頼性の低下等の障害をより少なくすることができる。
【００３３】
第７の発明は、第１から第６の発明の扉は当該扉を開くための手かけ部を有し、この手かけ部と離してＲＦＩＤタグを配置するとともに、当該ＲＦＩＤタグは手かけ部よりも上方位置に配置した構成としてあり、使用者の手が濡れていてこの手で扉を開きその手かけ部に水滴が付着しても、ＲＦＩＤタグはこの手かけ部から離れていて、なおかつ手かけ部の上方に位置しているから、手かけ部に付着した水滴が左右に広がったりたれ落ちたりしてＲＦＩＤタグ配置部分に至ることはなく、よって前記第９の発明で述べたようにＲＦＩＤタグに携帯電話等の携帯端末を接近させても、この扉の手かけ部表面に付着した水滴でＲＦＩＤタグ自体や携帯端末を汚したり濡らしたりする不具合を防止することができ、通
信状態の劣化や部品信頼性の低下等の障害をより少なくすることができる。
【００３５】
第８の発明は、冷蔵庫にＲＦＩＤタグを組み込み冷蔵庫を完成させるステップと、冷蔵庫完成後に電源オンすることなく当該冷蔵庫のＲＦＩＤタグに冷蔵庫の機器情報を書き込むステップとからなり、冷蔵庫を完成させるステップは、冷蔵庫にＲＦＩＤタグを組み込み各部品を組み立てて冷蔵庫を完成させるステップと、完成させた冷蔵庫を電源オンして検査する工程と、検査終了後の冷蔵庫に製造表示ラベルを貼り付けるステップとからなり、ＲＦＩＤタグへの冷蔵庫の機器情報書き込み時には連続した製造番号付与を可能とした製造方法であり、生産ラインで冷蔵庫電源をオンすることによって生じる結露等の障害を防止することができ、生産性の低下を招来することがなくなり、完成検査の後に製造表示ラベルを張り付けるとともに、ＲＦＩＤタグに冷蔵庫の機器情報を書き込むので、例えば製造表示ラベルを張り付けＲＦＩＤタグに機器情報を書き込んでから完成品検査を行うもののように完成検査で不合格品が発見されてこれを排除したことにより製造番号に空き番号が生じ以後の製品管理に煩雑さが残る、というような課題も解決することができる。
【００３６】
以下、本発明の実施の形態について、図面を参照しながら説明する。なお、この実施の形態によって本発明が限定されるものではない。
【００３７】
（実施の形態１）
図１は本発明の実施の形態１における冷蔵庫の使用状態を示す正面図、図２は同冷蔵庫の概略断面図、図３は同冷蔵庫の概略平面断面図、図４は同冷蔵庫の操作ユニットを示す分解斜視図、図５は同冷蔵庫の操作部を示す正面図、図６は同冷蔵庫と携帯端末からなる家電機器サービスシステムの概略構成を示す制御ブロック図、図７は同家電機器サービスシステムにおける動作を説明するフローチャート、図８は冷蔵庫の製造方法を示す工程図である。
【００３８】
図において、１は冷蔵庫本体で、図２に示すように複数の貯蔵室２，３，４，５，６を備えている。この各貯蔵室は上から冷蔵室２、製氷室３及びその製氷室３の側方に位置する切換室４（冷凍室温度約―１８℃から野菜室温度約６℃まで切替え可能）、冷凍室５、野菜室６となっている。なお、そのレイアウトは必要に応じて適宜設定されるものである。
【００３９】
また、上記冷蔵庫本体１は、主に鋼板を用いた外箱１ａと、ＡＢＳなどの樹脂で成型された内箱１ｂと、外箱１ａと内箱１ｂとの間の空間に充填発泡された硬質ウレタンフォーム１ｃで構成されている。さらに必要に応じて部分的により断熱性能を高めるために真空断熱材１ｄを硬質ウレタンフォーム内に埋設して構成してある。例えば、図２に示すように、製氷室３と切換室４および冷凍室５に対応する背面部の空間内に真空断熱材１ｄを貼
り付け、硬質ウレタンフォーム１ｃとの複合体としてある。
【００４０】
また冷蔵庫本体１の天面部は冷蔵庫の背面方向に向かって階段状に凹みを設けた形状とし、この階段状の凹部に機械室７を形成して、当該機械室７に、圧縮機８、水分除去を行うドライヤ（図示せず）等の冷凍サイクルの高圧側構成部品と冷蔵庫制御部ユニット（図示せず）を収容してあり、最下部の野菜室収納容積の拡大を図っている。
【００４１】
また冷凍サイクルの低圧側を構成する冷却器９は冷凍室５の後方に配置し、冷却ファン１０によって冷却器９で生成された冷気を強制送風して各貯蔵室２〜６を冷却するようになっている。
【００４２】
前記各貯蔵室２〜６はそれぞれに対応して設けた扉１１，１２，１３，１４，１５によって開閉されるようになっており、この各扉１１〜１５は手かけ部１６を有するとともに、冷蔵庫本体１と同様硬質ウレタンフォーム１ｃを金属表面板とＡＢＳ樹脂などからなる内箱板とで密閉された内部に充填発泡させて構成してある。
【００４３】
この実施の形態の冷蔵庫は最上部に位置する冷蔵室２の扉は観音開き式扉としてあり、左右面積の異なる２枚の扉１１ａ、１１ｂで構成してある。そして、大きな面積を有する右側扉１１ｂは自動扉開閉機構１７によって扉表面を軽く押すだけで開く構成としてあり、図示しない扉開閉検出部でその開閉が検出されるように構成してある。また、上記右側扉１１ｂの端部には上下方向にわたって操作ユニット１８が設けてあり、この操作ユニット１８への給電や制御信号送信のための直流配線が施してあって、交流配線は当該右側扉１１ｂに配することなく左側扉１１ａに施してある。
【００４４】
ここで上記操作ユニット１８は、図４に示すように、扉１１ｂの端部外表面の上下方向にわたって設けた樹脂製の操作銘板１８ａと、この操作銘板１８ａの内側に位置する樹脂製の基板収納部１８ｂと、基板収納部１８ｂの更に内側に位置していて後述する表示部や各スイッチを操作銘板１８ａの内面部分に臨ませる第１基板１８ｃと、本発明の主題となるＲＦＩＤタグ２１を有していて当該ＲＦＩＤタグ２１が操作銘板１８ａの内面部分に対面している第２基板１８ｄとからなる。上記ＲＦＩＤタグ２１は樹脂材でカバーされることになるので、金属による送電影響を防ぐことが出来る。なお、扉は外表面を金属でなくガラス材で構成しガラス内部に操作ユニットを密着配置しても金属材による電波の影響を防止できる。
【００４５】
上記ＲＦＩＤタグ２１には、製品を識別可能にするＩＤ番号が登録されており、ＩＤ番号の送受信により製品個体を識別できるようになっている。もちろんこのＲＦＩＤタグ２１は冷蔵庫使用中の情報となる冷却設定温度や扉開閉回数あるいは扉開成累計時間等の情報を冷蔵庫制御部から取得するようになっていて、後述する携帯電話等の携帯端末を介して外部と送受信する。
【００４６】
そしてこのＲＦＩＤタグ２１は、図５に示すように、前記操作ユニット１８に設けられている温度設定用の静電タッチ式の設定スイッチ１９、及び設定スイッチ１９の上方に配置した設定状態表示部２０の下方に配置してあり、図１に示すように使用者が携帯電話、スマートフォンやＰＤＡ等の携帯端末２２を接近させるとその情報を携帯端末２２との間でやり取りし、その情報を携帯端末２２の表示部（図１では図示せず）に表示したり、インターネット回線を介してサービス業者のホストコンピュータと送受信する家電機器サービスシステムを構成する。なお、この実施の形態ではＲＦＩＤタグ２１はパッシブタグ方式で通信距離が１００ｍｍ以内の近接タイプのものを用いている。
【００４７】
以下、その家電機器サービスシステムの構成を図６、図７を用いて説明する。図６は家
電機器サービスシステムの概略構成を示す制御ブロック図、図７は同動作を説明するフローチャートである。
【００４８】
図６において、冷蔵庫制御部Ａには、扉１１の開閉を検出する扉開閉検出部２５、前記扉開閉検出部２５で検出した扉開閉回数をカウントするカウント部２６、このカウント部２６でカウントした回数を記憶する回数記憶部２７、前記扉開閉検出部２５で検出した扉開閉時の扉開成時間を計測する計時部２８、前記計時部２８で計測した時間を累計記憶する時間記憶部２９、そしてＲＦＩＤタグ２１を有している。
【００４９】
上記ＲＦＩＤタグ２１には、前記した如くＩＤ番号が書き込まれていてこれを記憶保持しており、詳細は後述するが、そのＩＤ番号を冷蔵庫制御部ＡのＩＤ番号記憶部３０に書き込み記憶保持させている。この実施の形態では更に上記ＲＦＩＤタグ２１は前記回数記憶部２７からの扉開閉回数情報や時間記憶部２９からの扉開成累計時間情報の出力部ともなっているもので、アンテナ部２１ａを一体化したＩＣチップ等で構成してある。
【００５０】
３１は携帯電話、スマートフォンやＰＤＡ等の携帯端末２２が接近して情報要求するとこれを検出する近距離通信検出部で、ＲＦＩＤタグ２１自体が具備しており、情報要求を検出するとＲＦＩＤタグ２１に給電してこれを動作させるようになっている。したがって、前記ＲＦＩＤタグ２１は携帯端末２２が接近して情報要求すると近距離通信検出部３１によって動作状態となり、ＩＤ番号や上記回数記憶部２７および時間記憶部２９が記憶している最新の扉開閉回数及び扉累計開成時間等の情報をアンテナ部２１ａより外部に送信することになる。
【００５１】
一方、携帯端末２２は通信機能を有する一般的な携帯電話を用いており、その端末制御部Ｂは、周知の如く近距離通信を行う第１通信部３２とそのアンテナ３３及び通話およびインターネット通信用の第２通信部３４とそのアンテナ３４ａ、これらの通信部を制御する第１、第２通信制御部３５，３６、表示制御部３７等からなる携帯制御部３８、液晶ディスプレイ等の表示部３９、タッチスイッチ等の操作部４０、記憶部４１等からなる。そして、この携帯端末２２は操作部４０の操作によって第１通信制御部３５による近距離通信に切り替えると、情報要求信号を相手方に送信して相手方からの情報を受信可能にするとともに、第２通信部３４を動作させることによりインターネット回線を介してその情報をサービス業者のホストコンピュータに送信して必要なサービスを受けることができる。その際、本実施の形態では、表示制御部３７が表示部３９の表示を切り替えて第１通信部３２により受信した情報を表示部３９に表示させことができる。
【００５２】
次にこの様なＲＦＩＤタグ２１を搭載した冷蔵庫の製造方法について、図８を用いて説明する。図８において、まずステップ１１において従来と同様各部品を組み込んで冷蔵庫を組上げるとともに、上記各部品の組み立て時にＲＦＩＤタグ２１も組み込んで冷蔵庫を完成させ、その後ステップ１２で冷蔵庫の電源をオンして完成品検査を行う。検査完了後、ステップ１３にて正常な冷蔵庫に製造表示ラベルを張り付けて冷蔵庫を完成させるステップ１４を終える。
【００５３】
その後、ステップ１５においてＲＦＩＤタグ２１に冷蔵庫の機器情報の書き込みを行う。これは専用端末をＲＦＩＤタグ２１へ近接させることによって、当該専用端末からＲＦＩＤタグ２１へ固有情報を送信して書き込む。
【００５４】
以上の工程によって冷蔵庫は完成状態となり、出荷されることになる。そして、使用者が商品購入して使用を開始すべく冷蔵庫の電源をオンすると、冷蔵庫制御部ＡのＩＤ番号記憶部３０とＲＦＩＤタグ２１が送受信を始めてＲＦＩＤタグ２１に書き込まれているＩＤ番号がＩＤ番号記憶部３０に書き込まれ、記憶保持されることになる。すなわち、出荷
時にはＲＦＩＤタグ２１にのみＩＤ番号を書き込んであって冷蔵庫制御部ＡにはＩＤ番号が書き込まれていないが、使用者が冷蔵庫を購入して電源をオンしたとき初めてＩＤ番号が書き込まれて完全な完成状態となる。
【００５５】
よって、従来のように、生産工程で冷蔵庫の電源をオンしてＲＦＩＤタグ２１にＩＤ番号を書き込むようなことをしなくてもよく、この様なＩＤ番号書き込みのための冷蔵庫運転によって生じる結露等の障害を防止することができ、生産性の低下を招来することはなくなる。
【００５６】
また、冷蔵庫の製造組立に鑑みると、色違いや大きさ違いなど製品のラインナップで共用されている部品が多数存在し、製品完成前の部品の状態でＲＦＩＤタグ２１にＩＤ番号を書き込んでいて当該部品が正規の部品と異なるものであった場合には大きな問題となるが、この発明ではＩＤ番号等の製品個体情報は前記した如く組立完成後に書き込み確定するので、そのような問題発生も未然に防止することができる。
【００５７】
また、冷蔵庫を完成させる工程は、まず冷蔵庫にＲＦＩＤタグ２１を組み込んで冷蔵庫を完成させ、その後、冷蔵庫の電源オンして検査し、検査合格した冷蔵庫に製造表示ラベルを貼り付けるとともに、ＲＦＩＤタグ２１へ冷蔵庫の機器固有情報を書き込むようにしているから、製造番号は検査合格した冷蔵庫のみに付与することになり、例えば製造表示ラベルを張り付けＲＦＩＤタグ２１に機器情報を書き込んでから完成品検査を行うもののように、完成検査で不合格品が発見されてこれを排除したことにより製造番号に空き番号が生じ以後の製品管理に煩雑さが残る、というよう問題を未然に防止することができる。
【００５８】
なお、完成品検査時の電源オン時にも従来例で述べたと同様に冷蔵庫は冷却運転を行なって、結露が生じたり、この結露に塵埃が付着して臭いの原因となるため、これらを除去する作業が必要となるが、この様な作業はＲＦＩＤタグを用いる前から行われている作業であって、ＲＦＩＤタグを用いることによって新たに生じる工程ではなく、生産性を低下させるものではない。
【００５９】
一方、上記のように構成したＲＦＩＤタグ搭載冷蔵庫は、使用者が電源オンすることによってＲＦＩＤタグ２１から冷蔵庫本体１の冷蔵庫制御部Ａに機器情報が書き込まれ、記憶されている。したがって、部品故障等によって部品交換が必要となったようなときには、使用者が携帯端末２２を、ＲＦＩＤタグ２１に近接させれば、当該冷蔵庫の製品番号等の固有情報であるＩＤ番号を受信して、携帯端末経由インターネット回線によりサービス業者に情報送信することができる。
【００６０】
以下、図７の制御フローを用いながらＲＦＩＤタグ２１と携帯端末２２との間の送受信を中心に具体的に説明する。まず、ステップ１に示すようにＲＦＩＤタグ２１にＩＤ番号が記憶保持されている状態において、ステップ３で近距離通信検出部３１が情報要求されているか否かを確認し、要求がなければステップ４で１日（２４ｈ）が経過したかを確認して、経過していなければステップ２にもどるとともに、経過すればステップ５にてそれまでステップ２で記憶していた扉開閉情報をリセットし、ステップ２に戻る。
【００６１】
このような状態で使用者が携帯端末２２のアンテナ３３部分を冷蔵庫扉のＲＦＩＤタグ２１に近づけ情報要求信号を送信する（ステップ６）と、近距離通信検出部３１がステップ３でこれを検出しＲＦＩＤタグ２１が動作を開始し、ＲＦＩＤタグ２１がステップ７でＩＤ番号とこの実施の形態では回数記憶部２７、時間記憶部２９に記憶している扉開閉回数及び扉開成累計時間等の扉開閉情報を取得し、ステップ８においてその情報を送信する。これにより携帯端末２２はステップ９でその情報を受信し、ステップ１０においてその情報をインターネット回線経由でサービス業者のサーバー（ホストコンピュータ）に送信
したり、表示部３９に表示したりする。
【００６２】
このようにこの実施の形態における冷蔵庫は、対象機器となる冷蔵庫自体に直接携帯端末２２を近づけて情報を取得するので、お年寄りや子供であっても製品番号等の固有の機器情報であるＩＤ番号を受信して、これを間違えることなくサービス業者等に伝達することができ、的確な修理サービスが受けられる。
【００６３】
また、ＲＦＩＤタグ２１は受信機能も持っているので、サービス業者による部品交換時に部品間違いに気付かずに交換してしまう、というようなことも未然に防止することができる。例えば、部品にも機器情報を書き込んだＲＦＩＤタグ２１を設けておけば、部品交換時に当該部品と冷蔵庫制御部ＡのＩＤ番号記憶部３０とで情報交信を行って、部品間違い等があればこれを知らせることができ、部品に貼りつけてある表示ラベルの見まちがい等によって生じやすい部品まちがいを確実に知ることができ、部品交換まちがいに気付かず交換して問題が発生するのを未然に防止することができる。
【００６４】
更にこの実施の形態では、サービス時にＲＦＩＤタグ２１を設けた部品の交換などで機器情報であるＩＤ番号等のデータ喪失や間違いが発生しないようにすることが重要であるが、この冷蔵庫では機器情報であるＩＤ番号等を冷蔵庫の電源投入時にＲＦＩＤタグ２１より冷蔵庫制御部ＡのＩＤ番号記憶部３０に書き込み記憶させているので、製品個体の機器情報の紛失に備えることができる。
【００６５】
加えて、この実施の形態では、使用者に携帯端末２２をＲＦＩＤタグ２１に近接させてもらい、インターネット回線を利用して携帯端末２２に例えば冷却の設定温度情報を送信し、この設定温度情報を携帯端末２２からＲＦＩＤタグ２１に送信してもらえば、ＲＦＩＤタグ２１がこれを受信して冷蔵庫制御部Ａに送信し、冷却の設定温度を変えるなどのこともできる。
【００６６】
また、携帯端末２２を介して製品個体の機器情報をサービス業者のサーバに送信することで、サービスの内容を広げることもできる。例えば携帯端末２２から送信される冷蔵庫運転情報に基づき製品個体の運転状況やその履歴をサーバに蓄積しておき、これら運転状況やその履歴を携帯端末経由でお知らせするなどのサービスが可能となる。更には製品個体を識別して、製品個体ごとの運転状況データを管理し、閲覧可能、例えば他の家庭の製品個体の使われ方との比較や節電ランキング、過去の使用状態との比較をお知らせするようなサービスも可能となる。
【００６７】
またサービス時に製品のトレーサビリティを確保するためには、製品個体を識別する必要があるが、この様な個体識別も冷蔵庫制御部ＡのＩＤ番号記憶部３０に機器情報を記憶させてあるので、携帯端末２２との通信により機器情報を照合し製品個体を間違いなく特定することができる。
【００６８】
ところで、この実施の形態の冷蔵庫では携帯端末２２の表示部３９を見ることによって扉開閉回数及び扉開成累計時間等の扉開閉情報を知ることができ、例えばその回数あるいは時間が多い時には以降の扉開閉回数を少なくしようと気をつけて節電を促進することが可能となる。また、冷蔵庫は使用者に扉開閉回数及び扉開成累計時間等を知らせるための表示電力を必要とせず、その分更に節電でき、冷蔵庫の省エネルギー化が向上する。すなわち、この冷蔵庫は上記扉開閉回数及び扉開成累計時間を携帯端末２２の表示部３９を介して知ることができるから、冷蔵庫自体はその扉開閉回数及び扉開成累計時間を表示するための電力を一切消費することがなく、その分省エネルギー化が進むことになる。
【００６９】
さらにこの実施の形態では冷蔵庫側に近距離通信検出部３１を備えていて当該近距離通
信検出部３１が情報要求されていることを検出した場合のみＲＦＩＤタグ２１に給電して情報を送信するので、情報要求がない時にＲＦＩＤタグ２１が電力を消費することもなく、その分さらなる省エネルギー化が図れる。
【００７０】
また、この実施の形態の冷蔵庫では上記ＲＦＩＤタグ２１を冷蔵庫最上位となる冷蔵室２の扉、すなわち、複数ある貯蔵室のうち最上部の扉に設けてあるから、下部に位置する扉に設けた場合のような障害、すなわち、ＲＦＩＤタグ２１を設けた扉より上の扉を開けた時に漏れ落ちてくる冷気がＲＦＩＤタグ２１に触れてその表面に結露が生じ、通信状態の劣化や部品信頼性の低下等の障害を引き起こすことがない。したがって、携帯端末２２との間で正確かつ確実に扉開閉回数あるいは時間のやり取りを行うことができ、品質の高い冷蔵庫とすることができるとともに使用者は安心して使用することができる。
【００７１】
また、上記ＲＦＩＤタグ２１を、冷蔵庫本体１の下端より９００ｍｍ以上、１５００ｍｍ以下の高さ範囲の中に設ければ、一般的な主婦であればかがみ込むなどの無理な姿勢をとることなく携帯端末２２をＲＦＩＤタグ２１に接近させることができる。しかもその際、携帯端末２２の表示部３９を視認しながら携帯端末２２をＲＦＩＤタグ２１に接近させることができる。したがって使用性が向上する。
【００７２】
また、上記ＲＦＩＤタグ２１は複数ある貯蔵室のうちの冷蔵室２に対応する扉に設けてあり、この冷蔵室２は製氷室３や冷凍室５よりも庫内温度が高いので、庫内冷気による影響を少なく抑えることができる。したがって、ＲＦＩＤタグ２１の表面と内部の温度差は小さく抑えられ、結露が発生するのを抑制することができ、通信状態の劣化や部品信頼性の低下等の障害を少なくすることができる。
【００７３】
更に、上記ＲＦＩＤタグ２１は右側扉１１ｂの端部に設けた操作ユニット１８に組み込んであり、使用者が日常的に行う扉への掲示物の張りつけがあってもその張りつけは扉中央部分になることが多く、扉端部に位置するＲＦＩＤタグ２１の表面を覆ってしまうようなことは少ない。したがって、使用者は直接携帯端末２２のＲＦＩＤタグ２１に対向接近させることができ、掲示物の上から携帯端末２２を近づけることによって生じる情報送受信ミスが少なくなるとともに、ＲＦＩＤタグ２１表面にかぶさる掲示物を払いのけて携帯端末を近づけるなどしなくてよく、確実な通信性能確保と使い勝手の向上が可能となる。
【００７４】
また、上記ＲＦＩＤタグ２１は観音開き式の扉とした冷蔵室２の右側扉１１ｂに設けてあり、ＲＦＩＤタグ２１の庫内冷気による障害の発生をより少なくすることができる。すなわち、使用者には比較的右利きの人が多く、右側扉１１ｂはこの右利きの使用者が開閉する頻度が高くなるが、この右側扉１１ｂが開いて庫内の冷気が漏れ出した場合、この冷気は右側扉１１ｂとは反対側の左側扉１１ａの表面に拡散する可能性が高く、漏れ出した冷気から見て裏側となる右側扉１１ｂの表面側（ＲＦＩＤタグ２１の設置側）まで廻り込む可能性は非常に少ない。したがって、この右側扉１１ｂに設けられているＲＦＩＤタグ２１に冷気が触れる可能性はほとんどなくなり、その表面に結露が生じることなどで生じる通信状態の劣化や部品信頼性の低下等の障害を抑制することができる。
【００７５】
特にこの実施の形態では、上記右側扉１１ｂは左側扉１１ａより大きな面積を有する形状としてあるから、漏れ出す冷気の量が多くなりがちであるため、この漏れ出す冷気が多くなる側の右側扉１１ｂにＲＦＩＤタグ２１が設けることによって、前記した冷気の廻り込みによる影響が少なくて通信状態の劣化や部品信頼性の低下等の恐れが少なくなり、効果的である。
【００７６】
また、ＲＦＩＤタグ２１を設けた扉には操作ユニット１８への配線とともに冷蔵庫制御部Ａ中の回数記憶部２７や時間記憶部２９からの扉開閉情報が送られる配線が設けてある
が、これらはいずれも直流配線であり、当該扉には交流配線を設けていないので、交流配線から発生するノイズでＲＦＩＤタグ２１の送信に支障をきたすようなことがなく、より正確かつ確実な通信性能を確保できる。
【００７７】
また、ＲＦＩＤタグ２１を設けた冷蔵室２の右側扉１１ｂはこれに対応して自動扉開閉機構１７を設けてあるから、キッチンで作業している使用者の手が水で濡れていてもこの水によるＲＦＩＤタグの障害を少なくすることができる。すなわち、使用者は扉に軽くタッチするだけでよくなるため、扉開閉時に扉表面に付着する水滴は極めて微量か付着しない状態となり、ＲＦＩＤタグ２１に携帯電話等の携帯端末２２を接近させるときに、この扉表面に付着した水滴がＲＦＩＤタグ２１自体やこのＲＦＩＤタグ２１に接近させる携帯端末２２に付着して、これを汚したり濡らしたりする不具合を防止することができ、通信状態の劣化や部品信頼性の低下等の障害をより少なくすることができる。
【００７８】
さらに、ＲＦＩＤタグ２１は扉に設けた手かけ部１６から離れた位置であって、当該手かけ部１６よりも上方の位置に配置してあるから、使用者の手が濡れていてこの手で扉を開きその手かけ部１６に水滴が付着しても、ＲＦＩＤタグ２１はこの手かけ部１６から離れていて、なおかつ手かけ部１６の上方に位置しているから、手かけ部１６に付着した水滴が左右に広がったり、垂れ落ちたりしても、ＲＦＩＤタグ２１の配置部分まで至ることはなく、よって前述したようにＲＦＩＤタグ２１に携帯端末２２を接近させても、この扉の手かけ部１６表面に付着した水滴でＲＦＩＤタグ２１自体やこのＲＦＩＤタグ２１に接近させる携帯端末２２を汚したり濡らしたりする不具合を防止することができ、通信状態の劣化や部品信頼性の低下等の障害をより少なくすることができる。
【００７９】
以上のようにこの実施の形態で説明した冷蔵庫は、生産性の低下を招来することなくＲＦＩＤタグ搭載冷蔵庫を提供できるものであるが、上記実施の形態で説明したものは本発明を実現する一形態であり、本発明の目的達成範囲内であれば種々変更可能である。
【００８０】
例えば、上記実施の形態においては、使用者に提供する冷蔵庫情報を節電啓蒙のための扉開閉回数と扉開成累計時間の両方としたが、これはいずれか一方でもよいものであるし、それ以外のものであってもよいものである。
【００８１】
また、ＲＦＩＤタグ２１は冷蔵室２の扉に設けたが、これは他の扉に設けてもよいし、例えば観音式扉の左側の扉１１ａに設けてもよく、この左側の扉１１ａに設けた場合は、使用者が右利きの場合、右側の扉が逆手にならずに利き手で開閉しやすいため、右手による扉開閉と同時に左手によって携帯端末２２をＲＦＩＤタグ２１に近づけることができ、使い勝手が向上する。
【００８２】
更に、扉に設けたＲＦＩＤタグに対応させて冷蔵庫本体側に送受信部を設け、扉が開かれると冷蔵庫本体側の送受信部がこれを検出する構成、すなわち扉のＲＦＩＤタグが扉開閉検出部を兼用する構成としてもよく、これによって構成の簡素化が図れる。そして、扉開閉検出部も全部の扉に対応して設けるのが好ましいものの、適宜、例えば開閉頻度の高い一つもしくは幾つかの扉に設けるなどしてもよいものである。
【００８３】
また、冷蔵庫制御部Ａからの扉開閉回数情報や扉開成累計時間情報を配線ではなく近距離通信で受け取るようにするなども考えられる。
【００８４】
なお、通信方法については、製品にタッチ動作やかざす動作などで対象を限定して判別可能であれば他の近距離無線通信であっても良い。
【産業上の利用可能性】
【００８５】
以上のように本発明は、機器情報書き込みのために冷蔵庫電源をオンにする必要がなく、電源オンに伴う生産性の低下を防止できるとともに、冷蔵庫制御部には確実に機器情報を書き込むことができ、各種サービスを的確に行うことができるようになり、家庭及び業務用に幅広く展開できる。
【符号の説明】
【００８６】
１  冷蔵庫本体
２  冷蔵室（貯蔵室）
３  製氷室（貯蔵室）
４  切換室（貯蔵室）
５  冷凍室（貯蔵室）
６  野菜室（貯蔵室）
７  機械室
８  圧縮機
９  冷却器
１０  冷却ファン
１１，１２，１３，１４，１５  扉
１６  手かけ部
１７  自動扉開閉機構
１８  操作ユニット
１９  設定スイッチ
２０  設定状態表示部
２１  ＲＦＩＤタグ
２１ａ  アンテナ部
２２  携帯端末
２５  扉開閉検出部
２６  カウント部
２７  回数記憶部
２８  計時部
２９  時間記憶部
３３，３４ａ  アンテナ
３０  ＩＤ番号記憶部
３１  近距離通信検出部
３２  第１通信部
３４  第２通信部
３５  第１通信制御部
３６  第２通信制御部
３７  表示制御部
３８  携帯制御部
３９  表示部
４０  操作部
４１  記憶部
Ａ  冷蔵庫制御部
Ｂ  端末制御部
【図８】
0005990769.tif 000002
【図１】
0005990769.tif 000003
【図２】
0005990769.tif 000004
【図３】
0005990769.tif 000005
【図４】
0005990769.tif 000006
【図５】
0005990769.tif 000007
【図６】
0005990769.tif 000008
【図７】
0005990769.tif 000009